【手続補正書】
【提出日】平成16年11月10日(2004.11.10)
【手続補正１】
【補正対象書類名】明細書
【補正対象項目名】発明の名称
【補正方法】変更
【補正の内容】
【発明の名称】携帯電話機および携帯電話の着信通知方法
【手続補正２】
【補正対象書類名】明細書
【補正対象項目名】特許請求の範囲
【補正方法】変更
【補正の内容】
【特許請求の範囲】
【請求項１】
各種操作を行う操作手段と、鳴動音を発生させる鳴動手段と、制御を行う制御手段とを備えた携帯電話機において、
前記制御手段は、着信中に前記操作手段によって操作がされなかった場合、着信終了後、所定の時間間隔で前記鳴動手段により鳴動音を発生させる一方、前記操作手段による操作があれば前記鳴動手段による鳴動音の発生を中止することを特徴とする携帯電話機。
【請求項２】
各種操作を行う操作手段と、振動を発生させる振動手段と、制御を行う制御手段とを備えた携帯電話機において、
前記制御手段は、着信中に前記操作手段によって操作がされなかった場合、着信終了後、所定の時間間隔で前記振動手段により振動を発生させる一方、前記操作手段による操作があれば前記振動手段による振動の発生を中止することを特徴とする携帯電話機。
【請求項３】
各種操作を行う操作手段と、ランプの点灯または点滅を行う点灯手段と、制御を行う制御手段とを備えた携帯電話機において、
前記制御手段は、着信中に前記操作手段によって操作がされなかった場合、着信終了後、所定の時間間隔で前記点灯手段によりランプを点灯または点滅させる一方、前記操作手段による操作があれば前記点灯手段によるランプの点灯または点滅を中止することを特徴とする携帯電話機。
【請求項４】
各種操作を行う操作手段と、バックライトの点灯または点滅を行う表示部バックライト手段と、制御を行う制御手段とを備えた携帯電話機において、
前記制御手段は、着信中に前記操作手段によって操作がされなかった場合、着信終了後、所定の時間間隔で前記表示部バックライト手段によりバックライトを点灯または点滅させる一方、前記操作手段による操作があれば前記バックライト手段によるバックライトの点灯または点滅を中止することを特徴とする携帯電話機。
【請求項５】
前記時間間隔の時間、継続時間あるいは繰り返し回数のうち、少なくとも１以上の設定を変更する設定手段をさらに備えたことを特徴とする請求項１、請求項２、請求項３または請求項４記載の携帯電話機。
【請求項６】
各種操作を行う操作手段と、鳴動音を発生させる鳴動手段と、を備えた携帯電話機において、
着信があったときに前記操作手段により操作がなされたか否かを判断する第１のステップと、
前記第１のステップで前記操作手段による操作がなされなかったと判断されたとき、着信終了後、所定の時間間隔で前記鳴動手段により鳴動音を発生させる第２のステップと、
第２のステップで前記鳴動手段により鳴動音を発生させた後、前記操作手段により操作がなされたか否かを判断する第３のステップと、
第３のステップで前記操作手段により操作がなされたと判断された場合、前記鳴動手段による鳴動を停止する第４のステップと、
からなることを特徴とする携帯電話の着信通知方法。
【請求項７】
各種操作を行う操作手段と、振動を発生させる振動手段と、を備えた携帯電話機において、
着信があったときに前記操作手段により操作がなされたか否かを判断する第１のステップと、
前記第１のステップで前記操作手段による操作がなされなかったと判断されたとき、着信終了後、所定の時間間隔で前記振動手段により振動を発生させる第２のステップと、
第２のステップで前記振動手段により振動を発生させた後、前記操作手段により操作がなされたか否かを判断する第３のステップと、
第３のステップで前記操作手段により操作がなされたと判断された場合、前記振動手段による振動を停止する第４のステップと、
からなることを特徴とする携帯電話の着信通知方法。
【請求項８】
各種操作を行う操作手段と、ランプの点灯または点滅を行う点灯手段と、を備えた携帯電話機において、
着信があったときに前記操作手段により操作がなされたか否かを判断する第１のステップと、
前記第１のステップで前記操作手段による操作がなされなかったと判断されたとき、着信終了後、所定の時間間隔で前記点灯手段によりランプの点灯または点滅を発生させる第２のステップと、
第２のステップで前記点灯手段によりランプの点灯または点滅を発生させた後、前記操作手段により操作がなされたか否かを判断する第３のステップと、
第３のステップで前記操作手段により操作がなされたと判断された場合、前記点灯手段によるランプの点灯または点滅を停止する第４のステップと、
からなることを特徴とする携帯電話の着信通知方法。
【請求項９】
各種操作を行う操作手段と、バックライトの点灯または点滅を行う表示部バックライト手段と、を備えた携帯電話機において、
着信があったときに前記操作手段により操作がなされたか否かを判断する第１のステップと、
前記第１のステップで前記操作手段による操作がなされなかったと判断されたとき、着信終了後、所定の時間間隔で前記表示部バックライト手段によりバックライトの点灯または点滅を発生させる第２のステップと、
第２のステップで前記表示部バックライト手段によりバックライトの点灯または点滅を発生させた後、前記操作手段により操作がなされたか否かを判断する第３のステップと、
第３のステップで前記操作手段により操作がなされたと判断された場合、前記表示部バックライト手段によるバックライトの点灯または点滅を停止する第４のステップと、
からなることを特徴とする携帯電話の着信通知方法。
【請求項１０】
前記時間間隔の時間、継続時間あるいは繰り返し回数のうち、少なくとも１以上の設定を変更するステップをさらに備えたことを特徴とする請求項６、請求項７、請求項８または請求項９記載の携帯電話の着信通知方法。
【手続補正３】
【補正対象書類名】明細書
【補正対象項目名】０００５
【補正方法】変更
【補正の内容】
【０００５】
【課題を解決するための手段】
請求項１記載の発明では、各種操作を行う操作手段と、鳴動音を発生させる鳴動手段と、制御を行う制御手段とを備えた携帯電話機において、前記制御手段は、着信中に前記操作手段によって操作がされなかった場合、着信終了後、所定の時間間隔で前記鳴動手段により鳴動音を発生させる一方、前記操作手段による操作があれば前記鳴動手段による鳴動音の発生を中止することにより、前記第１の目的を達成する。
請求項２記載の発明では、各種操作を行う操作手段と、振動を発生させる振動手段と、制御を行う制御手段とを備えた携帯電話機において、前記制御手段は、着信中に前記操作手段によって操作がされなかった場合、着信終了後、所定の時間間隔で前記振動手段により振動を発生させる一方、前記操作手段による操作があれば前記振動手段による振動の発生を中止することにより、前記第２の目的を達成する。
【手続補正４】
【補正対象書類名】明細書
【補正対象項目名】０００６
【補正方法】変更
【補正の内容】
【０００６】
請求項３記載の発明では、各種操作を行う操作手段と、ランプの点灯または点滅を行う点灯手段と、制御を行う制御手段とを備えた携帯電話機において、前記制御手段は、着信中に前記操作手段によって操作がされなかった場合、着信終了後、所定の時間間隔で前記点灯手段によりランプを点灯または点滅させる一方、前記操作手段による操作があれば前記点灯手段によるランプの点灯または点滅を中止することにより、前記第３の目的を達成する。
請求項４記載の発明では、各種操作を行う操作手段と、バックライトの点灯または点滅を行う表示部バックライト手段と、制御を行う制御手段とを備えた携帯電話機において、
前記制御手段は、着信中に前記操作手段によって操作がされなかった場合、着信終了後、所定の時間間隔で前記表示部バックライト手段によりバックライトを点灯または点滅させる一方、前記操作手段による操作があれば前記バックライト手段によるバックライトの点灯または点滅を中止することにより、前記第４の目的を達成する。
【手続補正５】
【補正対象書類名】明細書
【補正対象項目名】０００７
【補正方法】変更
【補正の内容】
【０００７】
請求項５記載の発明では、請求項１、請求項２、請求項３または請求項４記載の発明において、前記時間間隔の時間、継続時間あるいは繰り返し回数のうち、少なくとも１以上の設定を変更する設定手段をさらに備えたことにより、前記第５の目的を達成する。
請求項６記載の発明では、各種操作を行う操作手段と、鳴動音を発生させる鳴動手段と、を備えた携帯電話機において、着信があったときに前記操作手段により操作がなされたか否かを判断する第１のステップと、前記第１のステップで前記操作手段による操作がなされなかったと判断されたとき、着信終了後、所定の時間間隔で前記鳴動手段により鳴動音を発生させる第２のステップと、第２のステップで前記鳴動手段により鳴動音を発生させた後、前記操作手段により操作がなされたか否かを判断する第３のステップと、第３のステップで前記操作手段により操作がなされたと判断された場合、前記鳴動手段による鳴動を停止する第４のステップと、からなる携帯電話の着信通知方法により、前記第１の目的を達成する。
請求項７記載の発明では、各種操作を行う操作手段と、振動を発生させる振動手段と、を備えた携帯電話機において、着信があったときに前記操作手段により操作がなされたか否かを判断する第１のステップと、前記第１のステップで前記操作手段による操作がなされなかったと判断されたとき、着信終了後、所定の時間間隔で前記振動手段により振動を発生させる第２のステップと、第２のステップで前記振動手段により振動を発生させた後、前記操作手段により操作がなされたか否かを判断する第３のステップと、第３のステップで前記操作手段により操作がなされたと判断された場合、前記振動手段による振動を停止する第４のステップと、からなる携帯電話の着信通知方法により、前記第２の目的を達成する。
請求項８記載の発明では、各種操作を行う操作手段と、ランプの点灯または点滅を行う点灯手段と、を備えた携帯電話機において、着信があったときに前記操作手段により操作がなされたか否かを判断する第１のステップと、前記第１のステップで前記操作手段による操作がなされなかったと判断されたとき、着信終了後、所定の時間間隔で前記点灯手段によりランプの点灯または点滅を発生させる第２のステップと、第２のステップで前記点灯手段によりランプの点灯または点滅を発生させた後、前記操作手段により操作がなされたか否かを判断する第３のステップと、第３のステップで前記操作手段により操作がなされたと判断された場合、前記点灯手段によるランプの点灯または点滅を停止する第４のステップと、からなる携帯電話の着信通知方法により、前記第３の目的を達成する。
請求項９記載の発明では、各種操作を行う操作手段と、バックライトの点灯または点滅を行う表示部バックライト手段と、を備えた携帯電話機において、着信があったときに前記操作手段により操作がなされたか否かを判断する第１のステップと、前記第１のステップで前記操作手段による操作がなされなかったと判断されたとき、着信終了後、所定の時間間隔で前記表示部バックライト手段によりバックライトの点灯または点滅を発生させる第２のステップと、第２のステップで前記表示部バックライト手段によりバックライトの点灯または点滅を発生させた後、前記操作手段により操作がなされたか否かを判断する第３のステップと、第３のステップで前記操作手段により操作がなされたと判断された場合、前記表示部バックライト手段によるバックライトの点灯または点滅を停止する第４のステップと、からなる携帯電話の着信通知方法により、前記第４の目的を達成する。
請求項１０記載の発明では、請求項６、請求項７、請求項８または請求項９記載の発明において、前記時間間隔の時間、継続時間あるいは繰り返し回数のうち、少なくとも１以上の設定を変更するステップをさらに備えた携帯電話の着信通知方法により、前記第５の目的を達成する。
【手続補正６】
【補正対象書類名】明細書
【補正対象項目名】００１０
【補正方法】変更
【補正の内容】
【００１０】
バックライト部２６は、通常は点灯することにより、液晶などの表示部を明る
く見やすくする機能を持っているが、本実施例では点滅あるいは点灯により着信
を知らせるもので、一般的にはＬＥＤ等の発光素子が使用される。ランプ部２８
は、通常は電池を充電しているときの充電状態を知らせたり、着信時に点滅ある
いは点灯して着信を知らせるものであり、一般的にはＬＥＤ等の発光素子が使
用される。
【手続補正７】
【補正対象書類名】明細書
【補正対象項目名】００１３
【補正方法】変更
【補正の内容】
【００１３】
【発明の効果】
請求項１および請求項６記載の発明では、着信があった場合で操作手段によって操作がされなかった場合に、着信終了後一定時間間隔で一定時間鳴動手段により鳴動させ、それを一定回数繰り返し、その間に操作手段による操作があれば鳴動させることを中止するので、着信時に着信に気が付かなくても、その後前記動作により着信があったことを確実に知らせることができ、また簡単に前記動作を終了させることが可能となる。
請求項２および請求項７記載の発明では、着信があった場合で操作手段によって操作がされなかった場合に、着信終了後一定時間間隔で一定時間振動手段により振動させ、それを一定回数繰り返し、その間に操作手段による操作があれば振動させることを中止するので、着信時に着信に気が付かなくても、その後前記動作により着信があったことを確実に知らせることができ、また簡単に前記動作を終了させることが可能となる。
【手続補正８】
【補正対象書類名】明細書
【補正対象項目名】００１４
【補正方法】変更
【補正の内容】
【００１４】
請求項３および請求項８記載の発明では、着信があった場合で操作手段によって操作がされなかった場合に、着信終了後一定時間間隔で一定時間点灯手段によりランプを点滅あるいは点灯させ、それを一定回数繰り返し、その間に操作手段による操作があれば点滅あるいは点灯させることを中止するので、着信時に着信に気が付かなくても、その後前記動作により着信があったことを確実に知らせることができ、また簡単に前記動作を終了させることができる。
請求項４および請求項９記載の発明では、着信があった場合で操作手段によって操作がされなかった場合に、着信終了後一定時間間隔で一定時間表示部バックライト手段によりバックライトを点滅あるいは点灯させ、それを一定回数繰り返し、その間に操作手段による操作があれば点滅あるいは点灯させることを中止するので、着信時に着信に気が付かなくても、その後前記動作により着信があったことを確実に知らせることができ、また簡単に前記動作を終了させることができる。
【手続補正９】
【補正対象書類名】明細書
【補正対象項目名】００１５
【補正方法】変更
【補正の内容】
【００１５】
請求項５記載および請求項１０の発明では、間隔時間、鳴動あるいは振動あるいは点滅あるいは点灯時間、繰り返し回数のいずれかを設定変更できるので、例えば、電池の寿命を考慮しての設定等の使い勝手を向上させることができる。